(57)【要約】【課題】蓋体と容器本体との間に家庭用薄葉紙が挟まることを防止して、蓋体の閉動作を適正に行う。【解決手段】ウェットティシュー収納容器１００であって、内側にウェットティシューＰが収納される収納空間部５を構成するとともに、ウェットティシューの取出口１２が形成された容器本体１と、容器本体に取り付けられ、取出口を閉塞する上蓋３とを備え、上蓋には、容器本体側に突出して取出口に係止されたウェットティシューを容器本体側に押さえる押さえ部３２１が設けられている。【選択図】図５
2008137678.tif 000002
【特許請求の範囲】
【請求項１】
内側に家庭用薄葉紙が収納される収納空間部を構成するとともに、前記家庭用薄葉紙の取出口が形成された容器本体と、
前記容器本体に取り付けられ、前記取出口を閉塞する蓋体と、を備え、
前記蓋体には、前記容器本体側に突出して、前記取出口に係止された前記家庭用薄葉紙を前記容器本体側に押さえる押さえ部が設けられていることを特徴とする家庭用薄葉紙収納容器。
【請求項２】
前記押さえ部は、環状に形成され、前記取出口の内側に配されていることを特徴とする請求項１に記載の家庭用薄葉紙収納容器。
【請求項３】
前記取出口を封止して前記収納空間部を気密状態とする気密部を備え、
前記気密部は、前記容器本体に設けられた本体側気密部と、前記蓋体に前記容器本体側に突出するように設けられた蓋体側気密部とを備え、前記本体側気密部と前記蓋体側気密部が係合することにより前記収納空間部を気密状態とし、
前記押さえ部は、前記蓋体側気密部の先端部よりも前記容器本体側に突出されていることを特徴とする請求項１又は２に記載の家庭用薄葉紙収納容器。
【発明の詳細な説明】
【技術分野】
【０００１】
本発明は、ウェットティシュー等の家庭用薄葉紙を収納する家庭用薄葉紙収納容器に関する。
【背景技術】
【０００２】
従来より、家屋の床やトイレ、或いは人体などを拭くための家庭用薄葉紙を収納する家庭用薄葉紙収納容器が知られている。
この家庭用薄葉紙収納容器は、例えば、内側の収納空間部に収納された家庭用薄葉紙の取出口が上部に形成された容器本体と、この容器本体に回動自在に設けられて取出口を開放及び閉塞する上蓋とを備えて構成されている（例えば、特許文献１参照）。
そして、上蓋を上向きに回動させて取出口を開放した状態で、この取出口を介して家庭用薄葉紙を引き出して使用するようになっている。一方、使用後には、家庭用薄葉紙に塵や埃等が付着するのを防止するために、上蓋を下向きに回動させて取出口を閉塞状態とするようになっている。
【特許文献１】特開２００３−１７０９４９号公報
【発明の開示】
【発明が解決しようとする課題】
【０００３】
ところで、家庭用薄葉紙は、継続して収納容器から取り出せるように交互に折り重ねられており、一の家庭用薄葉紙を外へ引き出したときに、次の家庭用薄葉紙がその上端が取出口よりも突出する位置まで収納容器の内部から引き出されるようになっている。
この状態で、取出口を閉塞するように上蓋を回動させると、上蓋と容器本体との間に家庭用薄葉紙が挟まってしまい、上蓋の閉動作を適正に行うことができなくなる虞があった。
【０００４】
そこで、本発明の課題は、蓋体と容器本体との間に家庭用薄葉紙が挟まることを防止して、蓋体の閉動作を適正に行うことができる家庭用薄葉紙収納容器を提供することである。
【課題を解決するための手段】
【０００５】
請求項１に記載の発明の家庭用薄葉紙収納容器は、
内側に家庭用薄葉紙が収納される収納空間部を構成するとともに、前記家庭用薄葉紙の取出口が形成された容器本体と、
前記容器本体に取り付けられ、前記取出口を閉塞する蓋体と、を備え、
前記蓋体には、前記容器本体側に突出して、前記取出口に係止された前記家庭用薄葉紙を前記容器本体側に押さえる押さえ部が設けられていることを特徴としている。
【０００６】
請求項２に記載の発明は、請求項１に記載の家庭用薄葉紙収納容器において、
前記押さえ部は、環状に形成され、前記取出口の内側に配されていることを特徴としている。
【０００７】
請求項３に記載の発明は、請求項１又は２に記載の家庭用薄葉紙収納容器において、
前記取出口を封止して前記収納空間部を気密状態とする気密部を備え、
前記気密部は、前記容器本体に設けられた本体側気密部と、前記蓋体に前記容器本体側に突出するように設けられた蓋体側気密部とを備え、前記本体側気密部と前記蓋体側気密部が係合することにより前記収納空間部を気密状態とし、
前記押さえ部は、前記蓋体側気密部の先端部よりも前記容器本体側に突出されていることを特徴としている。
【発明の効果】
【０００８】
請求項１に記載の発明によれば、蓋体には、容器本体側に突出した押さえ部が設けられているので、取出口を蓋体により閉塞した際に、取出口に係止された家庭用薄葉紙を押さえ部により容器本体側に押さえることができ、蓋体と容器本体との間に家庭用薄葉紙が挟まった状態となることを防止することができる。この結果、蓋体の閉動作を適正に行うことができる。
【０００９】
請求項２に記載の発明によれば、請求項１に記載の発明と同様の効果が得られるのは無論のこと、特に、押さえ部は、環状に形成され、取出口の内側に配されているので、取出口に係止される家庭用薄葉紙を当該取出口の内側に適正に押し込むことができ、蓋体と容器本体との間に家庭用薄葉紙が挟まった状態となることをより適正に防止することができる。
【００１０】
請求項３に記載の発明によれば、請求項１又は２に記載の発明と同様の効果が得られるのは無論のこと、特に、押さえ部は、気密部を構成する蓋体側気密部の先端部よりも容器本体側に突出されているので、蓋体を閉じる際に、押さえ部の方が蓋体側気密部よりも先に取出口に係止される家庭用薄葉紙に接触して、当該家庭用薄葉紙を押さえ部により容器本体側に押さえることができる。従って、蓋体を閉じても家庭用薄葉紙が蓋体側気密部と本体側気密部の間に挟まったり、はみ出すことなく、本体側気密部と蓋体側気密部を適正に係合させて収納空間部内を適正に気密状態とすることができる。
【発明を実施するための最良の形態】
【００１１】
以下に、本発明について、図面を用いて具体的な態様を説明する。ただし、発明の範囲は、図示例に限定されない。
図１は、本発明を適用した好適な一実施形態として例示するウェットティシュー収納容器１００を示す斜視図であり、図２は、ウェットティシュー収納容器１００を示す正面図である。また、図３及び図４は、ウェットティシュー収納容器１００を示す平面図であり、図４にあっては、上蓋３を破線で表し、当該上蓋３を透過した状態を図示している。また、図５は、図３のV−V線におけるウェットティシュー収納容器１００の断面図であり、収納空間部５からウェットティシューＰが一枚引き出された状態を表している。
なお、以下の説明では、ウェットティシュー収納容器１００の前後方向をＸ軸方向として、操作部４が設けられている側を手前側とし、操作部４と反対側を後側とする。さらに、左右方向（幅方向）をＹ軸方向とし、上下方向をＺ軸方向とする。
【００１２】
本実施形態のウェットティシュー収納容器１００は、例えば、図１〜図５に示すように、平面視にて略楕円形をなし全体としてドーム状に形成され、具体的には、内側にウェットティシューＰ（図５参照）を収納する容器本体１と、この容器本体１の底面開口１１（図５参照）を塞ぐ底蓋２と、容器本体１の上部に設けられたウェットティシューＰの取出口１２（図５参照）を開閉するように当該容器本体１に回動自在に取り付けられた上蓋３と、取出口１２を開状態とするために操作される操作部４と、ウェットティシューＰが収納される収納空間部５（図５参照）を気密状態とする気密部６（図５参照）等を備えて構成されている。
【００１３】
容器本体１は、例えば、射出成形により製造され、上下両側に開口を有し、周面が曲面形状に形成された部材であり、底面開口１１を塞ぐように底蓋２が取り付けられることにより、この底蓋２とともにウェットティシューＰを収納する収納空間部５を構成するものである。具体的には、容器本体１は、例えば、図２〜図５に示すように、下端部に断面略楕円形状の底面開口１１を有し、上部側ほど小径となるように湾曲して形成された周面部１３と、この周面部１３の上端に連続して形成され、収納空間部５に収納されたウェットティシューＰを取り出すための取出口１２を具備する上面開口部１４等を備えている。
【００１４】
周面部１３の下端部と底蓋２の上端部が係合することにより、底面開口１１を塞ぐことができる一方で、当該係合を解除することにより、当該容器本体１の内側を開放（露出）させるようになっている。従って、収納空間部５にウェットティシューＰを収納する場合には、底蓋２を周面部１３から取り外して当該容器本体１の内側を開放してウェットティシューＰを収納し、その後、周面部１３に底蓋２を取り付けることにより、底面開口１１を塞ぐようになっている。
【００１５】
また、収納空間部５には、例えば、複数枚のウェットティシューＰ、…が積層された状態で収納されるようになっており、継続して当該収納容器から取り出せるように交互に折り重ねられている。即ち、ウェットティシューＰを外へ引き出したときに、次のウェットティシューＰがその上端が取出口１２よりも突出する位置まで収納空間部５から引き出されるようになっている（図５参照）。
なお、図５にあっては、ウェットティシューＰが積層された状態を模式的に表している。
【００１６】
上面開口部１４は、例えば、平面視にて略楕円形状をなし、その略中央部に水平方向に延在する取出口１２が形成され、取出口１２よりもＸ軸方向後側に上蓋３を回動自在に取り付けるためのヒンジ取付部１５が設けられている。
【００１７】
取出口１２は、例えば、図４及び図５に示すように、上面開口部１４の略中央部に取り付けられた気密部６を構成する環状の本体側気密部６１の内縁部によって構成されている。
本体側気密部６１は、例えば、図５に示すように、取出口１２の延在方向（水平方向）に対して略垂直となるように設けられ、径方向外側に突出した凸部が上面開口部１４の内縁部に沿って形成された凹部に嵌め合わされることにより、上面開口部１４に取り付けられている。
なお、上蓋３に設けられ、本体側気密部６１に係合する上蓋側気密部６２については後述する。
【００１８】
ヒンジ取付部１５は、例えば、上蓋３をＹ軸方向の回動軸３１１（後述）に沿って回動自在に取り付けるためのものであり、Ｙ軸方向に沿って形成された凹型の軸受部１５１（図３及び図４参照）と、上蓋３を開く方向に付勢するねじりコイルバネ等の付勢部材１５２等を備えている。
【００１９】
軸受部１５１は、例えば、図３〜図５に示すように、２つの回動軸３１１、３１１に対応させてＹ軸方向に並んで設けられ、上面開口部１４の外縁よりも内側であって、取出口１２と略等しい高さとなっている。ここで、軸受部１５１は、回動軸３１１とともに回動軸部を構成している。
これにより、上蓋３を閉状態となるように回動させることで、略水平となる位置まで回動させることができる。従って、取出口１２の延在方向に対して略垂直となるように配置された本体側気密部６１と上蓋側気密部６２を適正に係合させて収納空間部５の気密性をより高めることができる。
【００２０】
付勢部材１５２は、例えば、ねじりコイルバネに限られるものではなく、上蓋３を開く方向に付勢可能なものであれば如何なるものであっても良く、例えば、板バネ等を適用することができる。
これにより、操作部４の操作に基づいて回動規制部１による上蓋３の回動の規制が解除された状態では、上蓋３が回動して取出口１２を露出させるようになっている。
【００２１】
ここで、上蓋３について説明する。
上蓋３は、例えば、射出成形により製造され、取出口１２を閉塞するように容器本体１に取り付けられた状態で容器本体１の周面部１３とともにドーム状をなす部材である。具体的には、上蓋３は、例えば、容器本体１のヒンジ取付部１５に取り付けられる回動軸３１１を有する軸部分３１と、この軸部分３１から前方及び側方に延出された曲面形状の天面部３２と、この天面部３２の前端部から略真下に延出された前端面部３３等を備えている。
【００２２】
回動軸３１１（回動軸部）は、例えば、図３及び図４に示すように、軸部分３１のＹ軸方向両側の端部から外方に突出して形成されている。
【００２３】
天面部３２は、例えば、容器本体１の周面部１３の曲率に合わせて所定の曲率を有し、上部側ほど小径となるように湾曲して形成されている。即ち、天面部３２は、例えば、その略中心部分が最も高くなるような形状となっている。
また、天面部３２の内面（下面）からは、本体側気密部６１と係合する上蓋側気密部６２が突出され、その内側にウェットティシューＰを下側（容器本体１側）に押さえる押さえ部３２１が形成されている。
【００２４】
上蓋側気密部６２は、例えば、本体側気密部６１先端の内側及び外側に接触するように環状部が２重に形成され、上蓋を手前側に回動させることで本体側気密部６１と係合するようになっている。この状態で、上蓋側気密部６２は取出口１２の延在方向に対して略垂直に延在するようになっている。
【００２５】
押さえ部３２１は、例えば、天面部３２の内面から容器本体１側（下側）に突出して環状に形成され、当該上蓋３を閉じた状態で取出口１２の内側に配されるようになっている。
これにより、取出口１２に係止されるウェットティシューＰを当該取出口１２の内側に適正に押し込むことができ、上蓋３と容器本体１との間にウェットティシューＰが挟まった状態となることをより適正に防止することができる。
【００２６】
また、押さえ部３２１の突出長は、例えば、図５に示すように、上蓋側気密部６２の先端部よりも容器本体１側に突出される程度とされている。
これにより、上蓋３を閉じる際に、押さえ部３２１の方が上蓋側気密部６２よりも先に取出口１２に係止されるウェットティシューＰに接触して、当該ウェットティシューＰを押さえ部３２１により容器本体１側に押さえることができる。従って、上蓋３を閉じてもウェットティシューＰが上蓋側気密部６２と本体側気密部６１の間に挟まったり、はみ出すことなく、本体側気密部６１と上蓋側気密部６２を適正に係合させて収納空間部５内を適正に気密状態とすることができる。
なお、押さえ部３２１の突出長は、例えば、当該押さえ部３２１の先端部が取出口１２と同じ高さか、或いは、それよりも上方に配置される程度とされるのが好ましい。
【００２７】
従って、天面部３２は、例えば、上蓋側気密部６２及び押さえ部３２１よりも内側であって取出口１２に対向する部分が最も高くなっている。
これにより、上蓋３の内側に収納空間部５から引き出されて取出口１２に係止されるウェットティシューＰを上蓋側気密部６２の内側に気密状態で配することができる。即ち、当該上蓋３を閉じてもウェットティシューＰが上蓋側気密部６２と本体側気密部６１の間に挟まったり、はみ出すことなく、当該ウェットティシューＰを気密空間内に配することができる。
また、取出口１２に係止されるウェットティシューＰは、上蓋３の下面や容器本体１の上面開口部１４等により押圧されることがなくなり、当該ウェットティシューＰを使用の際に容易に取り出すことができる。
【００２８】
天面部３２のＸ軸方向手前側の部分は、例えば、後側に食い込むように平面視曲線状に形成され、その下面に前端面部３３が形成されている。
【００２９】
前端面部３３は、例えば、天面部３２の手前側の部分の曲線形状に沿うように湾曲して形成されている。
前端面部３３の下端部には、例えば、Ｘ軸方向後側に向けて所定の長さ突出された上蓋側凸部３３１が形成されている。
一方、上面開口部１４の取出口１２よりも前側であって、前端面部３３に対向する対向面部１６には、Ｘ軸方向前側に向けて所定の長さ突出された本体側凸部１６１が形成されている。
そして、上蓋３を取出口１２を閉塞するようにＸ軸方向前側に回動させると、当該上蓋３の上蓋側凸部３３１が上面開口部１４の対向面部１６に形成された本体側凸部１６１に係止した状態となって、上蓋３の取出口１２を開放するようなＸ軸方向後側に対する回動が規制される（図５参照）。
【００３０】
また、対向面部１６の下側には、例えば、上摘み部４２の接触部４２３が係合する被係合部１７が形成されている。
被係合部１７は、例えば、対向面部１６の表面からＸ軸方向の後側に所定の深さ座刳られ、且つ、Ｙ軸方向に沿って延在するように溝状に形成されている。そして、被係合部１７に接触部４２３が係合することにより、当該上摘み部４２の回動軸部４２２（後述）を中心とする回動を規制するようになっている。
【００３１】
また、周面部１３のＸ軸方向手前側には、例えば、操作部４を取り付けるための操作部取付部１８が設けられている。
【００３２】
ここで、操作部４について詳細に説明する。
操作部４は、例えば、操作部取付部１８の所定位置に取付固定された下摘み部４１と、この下摘み部４１の上側に設けられた上摘み部４２等を備えて構成されている。
【００３３】
下摘み部４１は、例えば、Ｘ軸方向の断面略Ｌ字状に形成され、先端部がＸ軸方向前側に向けて突出するように配設されている（図５参照）。また、下摘み部４１の先端部は、例えば、ウェットティシュー収納容器１００の周面部１３の曲率に合わせるように所定の曲率をもって湾曲して形成されている。
【００３４】
上摘み部４２は、例えば、取出口１２を閉塞するように上蓋３を閉じた状態で、ユーザにより操作される操作レバー部４２１がＸ軸方向前側であって斜め上向きに突出するように配設されている。また、上摘み部４２は、例えば、容器本体１の操作部取付部１８に回動自在に取り付けられ、容器本体１に対する回動の中心軸を構成する回動軸部４２２と、上蓋３の前端面部３３の下端部（一端部）に接触して当該上蓋３を跳ね上げる接触部４２３とを有している。
即ち、上摘み部４２は、例えば、操作レバー部４２１と、この操作レバー部４２１の後側の端部に連続して設けられ、Ｙ軸方向側の両端面に回動軸部４２２が形成された中央軸部４２４と、この中央軸部４２４の後側の下端部に連続して設けられ、中央軸部４２４よりも厚さが薄く形成された接触部４２３等を備えている。
【００３５】
中央軸部４２４は、例えば、そのＹ軸方向中央部がそのＹ軸方向両端側よりもＸ軸方向後側に突出するように湾曲して形成され（図４参照）、且つ、当該中央軸部４２４のＹ軸方向両端側よりもＸ軸方向後側ほどより肉厚となるような形状に形成されている（図５等参照）
【００３６】
接触部４２３は、例えば、図３に示すように、Ｙ軸方向に並んで所定間隔を空けて２つ設けられている。
【００３７】
また、上摘み部４２の操作レバー部４２１の先端部は、例えば、ウェットティシュー収納容器１００の周面部１３の曲率に合わせるように所定の曲率をもって湾曲して形成されている。
【００３８】
操作部取付部１８は、例えば、周面部のＸ軸方向手前側におけるＹ軸方向略中央部から上端部にかけて後側に所定の深さ切り欠かれてなり、上端部は上面開口部に連続するような形状となっている。
即ち、操作部取付部１８は、例えば、容器本体１の取出口１２よりも前方の左右両側に形成され、上摘み部４２が取り付けられる左右の壁部１８１、１８１と、左右の壁部１８１、１８１の各々の内面から内側に突出するように形成され、下摘み部４１が取り付けられる溝部１８２等を備えている。
【００３９】
左右の壁部１８１、１８１の各々は、例えば、収納空間部５の外側となる位置に形成され、Ｙ軸方向に沿うように略垂直に、且つ、Ｘ軸方向に沿って延在するように起立して形成されている。また、左右の壁部１８１の各々には、例えば、上摘み部４２の回動軸部４２２が取り付けられる取付穴部１８３が設けられ、取付穴部１８３の位置規制凸部１８４（後述）の下側に、当該壁部１８１の表面から所定の深さ座刳られてなる下側穴部１８５が形成されている（図５〜図７参照）。
【００４０】
取付穴部１８３は、例えば、壁部１８１からＹ軸方向に所定の深さ座刳られてなり、Ｘ軸方向に沿って延在するように長円形状に形成されている。
取付穴部１８３のＸ軸方向の長さは、例えば、上摘み部４２をＸ軸方向にスライドさせて、操作部４による取出口１２を開状態とするための操作をロックするロック位置とアンロックするアンロック位置に配置することができる程度となっている。
ここで、上摘み部４２のロック位置とは、接触部４２３が被係合部１７に係合されることで回動軸部４２２を中心とする上摘み部４２の回動を規制する位置であり、アンロック位置とは、接触部４２３と被係合部１７の係合が解除されて上蓋３を跳ね上げ可能となるように前端面部３３の下端部の下側に接触部４２３が配置された位置（接触位置）のことである。即ち、上摘み部４２がアンロック位置に配された状態では（図５参照）、取付穴部１８３の内周面の前側部分に上摘み部４２の回動軸部４２２の外面が接触した状態となる一方で、上摘み部４２がロック位置に配された状態では（図７参照）、取付穴部１８３の内周面の後側部分に上摘み部４２の回動軸部４２２の外面が接触した状態となる。
【００４１】
また、取付穴部１８３の内周面のうち、Ｘ軸方向の略中央となる下側部分には、例えば、位置規制凸部１８４が上向きに突設されている。
位置規制凸部１８４は、例えば、取付穴部１８３の内周面の前側部分或いは後側部分に接触する位置にスライド移動した回動軸部４２２のＸ軸方向の位置を規制するものである。即ち、上摘み部４２をロック位置とアンロック位置との間で移動する場合には、回動軸部４２２が位置規制凸部１８４を乗り越えるようにしてＸ軸方向に移動することとなり、上摘み部４２がロック位置若しくはアンロック位置に配された状態では、位置規制凸部１８４により回動軸部４２２が取付穴部１８３内にてＸ軸方向に自由に移動することが規制されるようになっている。
【００４２】
下側穴部１８５は、例えば、位置規制凸部１８４を挟むように取付穴部１８３に対向する位置に設けられている。これにより、取付穴部１８３内を回動軸部４２２がＸ軸方向に移動する際に、回動軸部４２２により位置規制凸部１８４が下側穴部１８５側に押し込まれて取付穴部１８３が弾性変形することとなる。
【００４３】
次に、取出口１２を開放状態とするための操作部４の操作及び当該操作のロック機構について図５〜図７を参照して説明する。
ここで、図６及び図７は、図５の領域Ａの要部拡大断面図であり、図６は、取出口１２を開放状態とするために上摘み部４２が操作された状態を表し、図７は、上摘み部４２がロック位置に配された状態を表している。
【００４４】
先ず、上蓋３が閉じられた状態から取出口１２を開放状態とする場合、上摘み部４２を回動軸部４２２が取付穴部１８３に沿ってスライドするように引き出してアンロック位置に配設する（図５参照）。このとき、回動軸部４２２がＸ軸方向前側に移動して位置規制凸部１８４を乗り越える際には、位置規制凸部１８４の下側に下側穴部１８５が設けられているため、取付穴部１８３が弾性変形することとなり、上摘み部４２をスムーズに移動させることができる。
これにより、上摘み部４２は、接触部４２３が上蓋３の前端面部３３の下端部の下側となる接触位置、即ち、アンロック位置に配置される。
【００４５】
この状態で、上摘み部４２の操作レバー部４２１が下側に移動するように操作されると、上摘み部４２は回動軸部４２２を中心として接触部４２３が上側に移動するように回動して、当該接触部４２３が前端面部３３の下端部に接触する。このとき、前端面部３３の下端部に回動規制部の規制力より大きな力が加わることで上蓋３を跳ね上げて（図６参照）、これにより、付勢部材１５２により付勢される上蓋３は、Ｘ軸方向の後側に回動して取出口１２を開放状態とするようになっている。
【００４６】
次に、上摘み部４２をロック位置に配設する場合について説明する。
例えば、アンロック位置に配設された上摘み部４２をロック位置に移動させる場合、当該上摘み部４２を回動軸部４２２が取付穴部１８３に沿ってスライドするように押し込む。このとき、回動軸部４２２がＸ軸方向後側に移動する際には、アンロック位置に配設する場合と同様に、下側穴部１８５により取付穴部１８３が弾性変形することで回動軸部４２２が位置規制凸部１８４を乗り越えて上摘み部４２をスムーズに移動させることができる。
そして、Ｘ軸方向後側に移動する接触部４２３は、被係合部１７に係合してＹ軸方向を軸心とする回動が規制された状態となり、当該接触部４２３を前端面部３３の下端部に接触不可能な接触不可位置、即ち、ロック位置に配置される。
【００４７】
次に、ウェットティシュー収納容器１００の梱包部材２００による梱包構造について図８及び図９について説明する。
図８は、ウェットティシュー収納容器１００の梱包状態を示す斜視図である。また、図９は、ウェットティシュー収納容器１００を積み重ねた状態を模式的に示す側面図である。
【００４８】
先ず、梱包部材２００について説明する。
梱包部材２００は、例えば、図８及び図９に示すように、操作部４を前面開口部２０１から露出させるようにしてウェットティシュー収納容器１００を収納するものである。また、梱包部材２００は、例えば、ボール紙等のシート状材を折り曲げて所定位置をノリやテープ等により貼着することにより形成されるものであり、底面部２０２と、底面部２０２の一部に連続して形成され、ウェットティシュー収納容器１００の側方を取り囲むように配設される側面部２０３と、側面部２０３の上端の一部に連続して形成され、ウェットティシュー収納容器１００の天面側に配設される上面部２０４等を備えている。
【００４９】
底面部２０２は、例えば、ウェットティシュー収納容器１００の底蓋２の形状に合わせて形成されている。
【００５０】
側面部２０３は、例えば、底面部２０２に対して略垂直に形成され、前面開口部２０１を形成する開口部形成面部２０３１と、開口部形成面部２０３１に連続して形成され、積み重ねられるウェットティシュー収納容器１００を支持する支持面部２０３２等を備えている。
【００５１】
開口部形成面部２０３１は、例えば、Ｘ軸方向手前側ほど低い位置となるように上端部から斜め下向きに切り欠かれ、開口端部側に凸部及び凹部が交互に連続するような形状に形成されている。また、開口部形成面部２０３１の凸部及び凹部の先端部には、例えば、アール（Ｒ）が付けられている。
なお、開口部形成面部２０３１の下端には、例えば、底蓋２の着脱動作の際に把持され、当該底蓋に２つ設けられた把持部２１が配置される把持部配置部２０３３が形成されている。
【００５２】
支持面部２０３２は、例えば、ウェットティシュー収納容器１００よりもわずかに高く、且つ、周方向に亘って略等しい高さとなるように形成されている。
【００５３】
上面部２０４は、例えば、天面部の一部を被覆するように配設され、当該上面部２０４のＸ軸方向手前側の端部が前面開口部２０１を構成している。即ち、上面部２０４のＸ軸方向手前側の端部から後側に切り欠かれて、開口端部側に凸部及び凹部が交互に連続するような形状に形成されている。
なお、開口部形成面部２０３１の凸部及び凹部の先端部には、例えば、アール（Ｒ）が付けられている。
【００５４】
また、上面部２０４の形状や寸法は、例えば、操作部や上蓋等の寸法に応じて適宜任意に変更することができ、具体的には、積み重ねられるウェットティシュー収納容器１００の底蓋の１／３以上の面積を有するような形状に形成したり、上面部２０４のＸ軸方向手前側の部分が切り欠かれても少なくとも上蓋３の頂点を被覆するような形状に形成することができる。
【００５５】
これにより、例えば、図９に示すように、梱包部材２００によりウェットティシュー収納容器１００を梱包した状態で、側面部２０３の支持面部２０３２により積み重ねられるウェットティシュー収納容器１００を支持することができるので、上端部が曲面形状の当該ウェットティシュー収納容器１００であっても所定数（例えば、３個）積み重ねて配置することができる。
【００５６】
なお、図９にあっては、ウェットティシュー収納容器１００が３つ積み重ねられたものを例示して説明したが、積み重ねられる個数はこれに限られるものではなく、２つ以上であれば如何なる個数であっても良い。
【００５７】
以上のように、本実施形態のウェットティシュー収納容器１００によれば、上蓋３には、容器本体１側に突出した押さえ部３２１が設けられているので、取出口１２を閉塞するように上蓋３を回動させた際に、取出口１２に係止されたウェットティシューＰを押さえ部３２１により容器本体１側に押さえることができ、上蓋３と容器本体１との間にウェットティシューＰが挟まった状態となることを防止することができる。この結果、上蓋３の閉動作を適正に行うことができる。
【００５８】
また、容器本体１の操作部取付部１８以外の部分及び上蓋３は、外形が曲面状に形成されているので、当該容器本体１及び上蓋３の射出成形に際して、金型内で樹脂の流れに偏りが生じて成形体に歪みが発生してしまうといった問題を生じさせることなく適正に製造することができる。これにより、容器本体１に設けられた本体側気密部６１、及び上蓋３に設けられた上蓋側気密部６２の配置精度を高めることができ、当該本体側気密部６１及び上蓋側気密部６２を係合することにより気密状態とされる収納空間部５の気密性を高めることができる。
【００５９】
なお、本発明は、上記実施形態に限定されることなく、本発明の趣旨を逸脱しない範囲において、種々の改良並びに設計の変更を行っても良い。
例えば、ウェットティシューＰを収納するウェットティシュー収納容器１００を例示したが、これに限られるものではなく、ウェットシートやティシューペーパー等の家庭用薄葉紙を収納する家庭用薄葉紙収納容器であっても良い。
【００６０】
また、上記実施形態にあっては、本体側気密部６１と容器本体１を別部材で構成するようにしたが、これに限られるものではなく、例えば、本体側気密部６１と容器本体１を一部材で構成するようにしても良い。
【００６１】
加えて、上記実施形態にあっては、ヒンジ取付部１５の軸受部１５１及び回動軸３１１と取出口１２の高さを略等しくなるようにしたが、これに限られるものではなく、例えば、軸受部１５１及び回動軸３１１と取出口１２の高さが５ｍｍ程度であればずれていても構わない。
なお、上蓋３を閉状態となるように回動させた状態で、本体側気密部６１と上蓋側気密部６２の係合を適正に行うことができるのであれば、本体側気密部６１と上蓋側気密部６２の延在方向は、上記実施形態に例示されたものに限られるものではない。即ち、軸受部１５１及び回動軸３１１と取出口１２の高さがずれたように配置された構成であっても、当該高低差に応じて上蓋３の閉状態における本体側気密部６１と上蓋側気密部６２の延在方向を調整することにより、上蓋３を閉状態となるように回動させた状態での本体側気密部６１と上蓋側気密部６２の係合状態を適正なものとすることができる。
【００６２】
また、上記実施形態では、押さえ部３２１が環状に形成されるようにしたが、押さえ部３２１の形状はこれに限られるものではなく、例えば、押さえ部３２１はウェットティシューＰを容器本体１側に押さえることが可能であれば如何なる形状であっても良い。
さらに、押さえ部３２１として、上蓋側気密部６２の先端部よりも容器本体１側に突出された形状のものを例示したが、例えば、押さえ部３２１の形状はこれに限られるものではない。
加えて、押さえ部３２１は取出口１２の内側に配置されるようにしたが、押さえ部３２１の配置はこれに限られるものではなく、例えば、上蓋３と容器本体１との間にウェットティシューＰが挟まった状態となること防止することができる位置であれば如何なる位置であっても良い。
【００６３】
また、上記実施形態にあっては、梱包部材２００の支持面部２０３２がウェットティシュー収納容器１００よりも高い高さを有するようにしたが、これに限られるものではなく、例えば、少なくともウェットティシュー収納容器１００と等しい高さを有していれば良い。
さらに、梱包部材２００として、底面部２０２及び上面部２０４を具備するものを例示したが、底面部２０２及び上面部２０４を具備するか否かは適宜変更することができる。即ち、底面部２０２を備えなくとも、ウェットティシュー収納容器１００の底蓋２の底面を支持面部２０３２上に載置することができ、また、上面部を備えなくとも、支持面部２０３２によりウェットティシュー収納容器１００を支持することができるからである。
【００６４】
また、上記実施形態では、蓋体として上蓋３を例示し、蓋体側気密部として上蓋側気密部６２を例示したが、これに限られるものではなく、例えば、蓋体を収納容器１の側方に設け、当該蓋体に蓋体側気密部を設けるようにしても良い。
【００６５】
加えて、ウェットティシュー収納容器１００や梱包部材２００の構成や各部の形状等は、上記実施形態に例示したものは一例であり、これらに限られるものではない。
【図面の簡単な説明】
【００６６】
【図１】本発明を適用した好適な一実施形態として例示するウェットティシュー収納容器を示す斜視図である。
【図２】図１のウェットティシュー収納容器を示す正面図である。
【図３】図１のウェットティシュー収納容器を示す平面図である。
【図４】図１のウェットティシュー収納容器を示す平面図である。
【図５】図３のV−V線におけるウェットティシュー収納容器の断面図である。
【図６】図５の領域Ａの要部拡大断面図である。
【図７】図５の領域Ａの要部拡大断面図である。
【図８】図１のウェットティシュー収納容器の梱包状態を示す斜視図である。
【図９】図１のウェットティシュー収納容器を積み重ねた状態を模式的に示す側面図である。
【符号の説明】
【００６７】
１００    ウェットティシュー収納容器（家庭用薄葉紙収納容器）
１        容器本体
１２      取出口
１３      周面部
１４      上面開口部
１５      ヒンジ取付部
１５１    軸受部（回動軸部）
１８      操作部取付部（取付部）
２        底蓋
３        上蓋（蓋体）
３１１    回動軸（回動軸部）
４        操作部
５        収納空間部
６        気密部
６１      本体側気密部
６２      上蓋側気密部（蓋体側気密部）
２００    梱包部材
２０３２  支持面部（支持部）
Ｐ        ウェットティシュー（家庭用薄葉紙）
【図１】
2008137678.tif 000003
【図２】
2008137678.tif 000004
【図３】
2008137678.tif 000005
【図４】
2008137678.tif 000006
【図５】
2008137678.tif 000007
【図６】
2008137678.tif 000008
【図７】
2008137678.tif 000009
【図８】
2008137678.tif 000010
【図９】
2008137678.tif 000011